(57)【要約】【課題】  卓上や壁にかけて設けることができ、対象物が予め設定された位置に達するようにすることができる自動感知引き出し装置を提供する。【解決手段】  ハウジングと、コントローラー部と、引き出し手段とを含んでなり、ハウジングが、表面に設けられ、対象物を穿設する固定桿と、内部に設けられた駆動手段と、を含んでなり、該駆動手段は電源部を通して動力を産み出し、コントローラー部が、ハウジングの予め設定された位置に設けられ、内部にコントローラーコード板を設けてなり、該コントローラーコード板が少なくとも一以上のセンサーと、対象物を感知するゼロ回復センサーとを具えてなり、引き出し手段が、ロール軸と、圧力板とを含んでなり、該ロール軸がハウジングの表面に設けられるとともに、駆動手段と噛合して回転する関係に設けられ、圧力板が弾性体を利用して、圧力板が常態的にロール軸を軽く押圧する。【選択図】  図２
0003140258.tif 000002
【実用新案登録請求の範囲】
【請求項１】
ハウジングと、コントローラー部と、引き出し手段とを含んでなり、
該ハウジングが、表面に設けられ、対象物を穿設する固定桿と、内部に設けられた駆動手段と、を含んでなり、該駆動手段は電源部を通して動力を産み出し、
該コントローラー部が、ハウジングの予め設定された位置に設けられ、内部にコントローラーコード板を設けてなり、該コントローラーコード板が少なくとも一以上のセンサーと、対象物を感知するゼロ回復センサーとを具えてなり、
該引き出し手段が、ロール軸と、圧力板とを含んでなり、該ロール軸がハウジングの表面に設けられるとともに、駆動手段と噛合して回転する関係に設けられ、圧力板が弾性体を利用して、圧力板が常態的にロール軸を軽く押圧することを特徴とする自動感知引き出し装置。
【請求項２】
前記コントローラー部が、コントローラーコード板を設けるフレーム座と、フレーム蓋とを含んでなり、該適宜な深さを具えたフレーム座は、予め設定された位置に方形の孔と、ガイド孔とを具えてなり、上方端面には感知エリアが形成され、該フレーム蓋は、垂直な方向に形成され、圧力板を設けるために供する設置孔を具えてなり、該設置孔の一側面には上下にそれぞれ形成され、ゼロ回復センサーを穿設するために供する二つの孔を具えてなることを特徴とする請求項１に記載の自動感知引き出し装置。
【請求項３】
前記圧力板の底端が、延伸してフレーム座のガイド孔を貫通する桿体を具えてなり、コントローラーコード板が別に段数調整ボタンを具えてなり、該段数調整ボタンがフレーム座の方形の孔に穿設し、切り換えて使用するために供することを特徴とする請求項１に記載の自動感知引き出し装置。
【請求項４】
前記駆動手段が、モーターと、該モーターとロール軸に噛合する歯車セットとを含んでなることを特徴とする請求項１に記載の自動感知引き出し装置。
【請求項５】
前記電源部が、ハウジング内に設けられるＤＣ電源部であることを特徴とする請求項１に記載の自動感知引き出し装置。
【請求項６】
前記ハウジングが、フック部を設けてなることを特徴とする請求項１に記載の自動感知引き出し装置。
【請求項７】
前記固定桿が、上端に位置決め蓋を具えてなり、固定桿に穿設した対象物を位置決めするために供し、該対象物がロール状のトイレットペーパー、ナプキン、アルミホイル、食品包装用フィルム、或いはビニルフィルムなどを含むことを特徴とする請求項１に記載の自動感知引き出し装置。
【請求項８】
前記ロール軸が、外周面の一部にカバーを具えてなることを特徴とする請求項１に記載の自動感知引き出し装置。
【請求項９】
前記圧力板が、底端に桿体を具えてなることを特徴とする請求項１に記載の自動感知引き出し装置。
【請求項１０】
前記コントローラー部が取り出し口に対向する端縁部にカッター部を具えてなることを特徴とする請求項１に記載の自動感知引き出し装置。
【考案の詳細な説明】
【技術分野】
【０００１】
この考案は、自動感知引き出し装置に関し、特に対象物の長さを自動的に感知して引き出す長さを正確に維持することができる自動感知引き出し装置に関する。
【背景技術】
【０００２】
従来のロール式のペーパーホルダーは、ホルダーの内部にロール式のペーパーを設け、ホルダーからペーパーを引き出す取り出し口の部分にカッターが設けられている。
【０００３】
ロール式のペーパーは、ホルダーの取り出し口に引き出された状態で設けられ、トイレ使用後にペーパーが必要な場合、取り出し口から適宜な長さを外側に引き出して取り出し口に設けられたカッターでペーパーを切断して使用するため、非常に便利である。
【０００４】
しかしながら、従来のペーパーホルダーにはいくつかの改善すべき点を具えている。即ち、周知の通り、従来のペーパーホルダーは、新しいロール式のペーパーに交換した時に、該新しいロール式のペーパーの紙の長さが長い場合（ペーパーの円の直径が比較的大きい場合）、ホルダーの内部にロール式のペーパーが密着した状態で設けられる。
【０００５】
よって、交換したばかりの時には、ペーパーを引き出そうとしても、ペーパーがホルダーの内部でスムーズに回転しないため、使用し難い。
【０００６】
一方、ペーパーを一定期間使用してペーパーの長さが少なくなると（ペーパーの円の直径が比較的小さくなった場合）、ホルダー内部のペーパーとホルダーとの間隔が広くなり、比較的ゆるい状態で接続した状態にあるため、ペーパーを軽く外側に引いただけで、ペーパーが何回も回転して必要以上の長さのペーパーが引き出されてしまうため、ペーパーが無駄になる。
【考案の開示】
【考案が解決しようとする課題】
【０００７】
この考案は、体積が小さく、軽量で、卓上や壁にかけて設けることができる自動感知引き出し装置を提供することを課題とする。
【０００８】
この考案は、対象物が予め設定された位置に達するようにすることができる、ペーパーが適宜な圧力で回転する自動感知引き出し装置を提供することを課題とする。
【課題を解決するための手段】
【０００９】
そこで、本考案者は従来の技術に見られる欠点に鑑みて鋭意研究を重ねた結果、ハウジングと、コントローラー部と、引き出し手段とを含んでなり、
該ハウジングが、表面に設けられ、対象物を穿設する固定桿と、内部に設けられた駆動手段と、を含んでなり、該駆動手段は電源部を通して動力を産み出し、
該コントローラー部が、ハウジングの予め設定された位置に設けられ、内部にコントローラーコード板を設けてなり、該コントローラーコード板が少なくとも一以上のセンサーと、対象物を感知するゼロ回復センサーとを具えてなり、
該引き出し手段が、ロール軸と、圧力板とを含んでなり、該ロール軸がハウジングの表面に設けられるとともに、駆動手段と噛合して回転する関係に設けられ、圧力板が弾性体を利用して、圧力板が常態的にロール軸を軽く押圧する自動感知引き出し装置によって課題を解決できる点に着眼し、かかる知見に基づいて本考案を完成させた。
【００１０】
以下、この考案について具体的に説明する。
請求項１に記載の自動感知引き出し装置は、ハウジングと、コントローラー部と、引き出し手段とを含んでなり、
該ハウジングが、表面に設けられ、対象物を穿設する固定桿と、内部に設けられた駆動手段と、を含んでなり、該駆動手段は電源部を通して動力を産み出し、
該コントローラー部が、ハウジングの予め設定された位置に設けられ、内部にコントローラーコード板を設けてなり、該コントローラーコード板が少なくとも一以上のセンサーと、対象物を感知するゼロ回復センサーとを具えてなり、
該引き出し手段が、ロール軸と、圧力板とを含んでなり、該ロール軸がハウジングの表面に設けられるとともに、駆動手段と噛合して回転する関係に設けられ、圧力板が弾性体を利用して、圧力板が常態的にロール軸を軽く押圧する。
【００１１】
請求項２に記載の自動感知引き出し装置は、請求項１におけるコントローラー部が、コントローラーコード板を設けるフレーム座と、フレーム蓋とを含んでなり、該適宜な深さを具えたフレーム座は、予め設定された位置に方形の孔と、ガイド孔とを具えてなり、上方端面には感知エリアが形成され、該フレーム蓋は、垂直な方向に形成され、圧力板を設けるために供する設置孔を具えてなり、該設置孔の一側面には上下にそれぞれ形成され、ゼロ回復センサーを穿設するために供する二つの孔を具えてなる。
【００１２】
請求項３に記載の自動感知引き出し装置は、請求項１における圧力板の底端が、延伸してフレーム座のガイド孔を貫通する桿体を具えてなり、コントローラーコード板が別に段数調整ボタンを具えてなり、該段数調整ボタンがフレーム座の方形の孔に穿設し、切り換えて使用するために供する。
【００１３】
請求項４に記載の自動感知引き出し装置は、請求項１における駆動手段が、モーターと、該モーターとロール軸に噛合する歯車セットとを含んでなる。
【００１４】
請求項５に記載の自動感知引き出し装置は、請求項１における電源部が、ハウジング内に設けられるＤＣ電源部である。
【００１５】
請求項６に記載の自動感知引き出し装置は、請求項１におけるハウジングが、フック部を設けてなる。
【００１６】
請求項７に記載の自動感知引き出し装置は、請求項１における固定桿が、上端に位置決め蓋を具えてなり、固定桿に穿設した対象物を位置決めするために供し、該対象物がロール状のトイレットペーパー、ナプキン、アルミホイル、食品包装用フィルム、或いはビニルフィルムなどを含む。
【００１７】
請求項８に記載の自動感知引き出し装置は、請求項１におけるロール軸が、外周面の一部にカバーを具えてなる。
【００１８】
請求項９に記載の自動感知引き出し装置は、請求項１における圧力板が、底端に桿体を具えてなる。
【００１９】
請求項１０に記載の自動感知引き出し装置は、請求項１におけるコントローラー部が取り出し口に対向する端縁部にカッター部を具えてなる。
【考案の効果】
【００２０】
この考案による自動感知引き出し装置は、毎回予め設定した長さに対象物を引き出して切断することができるという効果を有する。
【考案を実施するための最良の形態】
【００２１】
この考案は、卓上や壁にかけて設けることができ、対象物が予め設定された位置に達するようにすることができる自動感知引き出し装置であって、ハウジングと、コントローラー部と、引き出し手段とを含んでなり、該ハウジングが、表面に設けられ、対象物を穿設する固定桿と、内部に設けられた駆動手段と、を含んでなり、該駆動手段は電源部を通して動力を産み出し、該コントローラー部が、ハウジングの予め設定された位置に設けられ、内部にコントローラーコード板を設けてなり、該コントローラーコード板が少なくとも一以上のセンサーと、対象物を感知するゼロ回復センサーとを具えてなり、該引き出し手段が、ロール軸と、圧力板とを含んでなり、該ロール軸がハウジングの表面に設けられるとともに、駆動手段と噛合して回転する関係に設けられ、圧力板が弾性体を利用して、圧力板が常態的にロール軸を軽く押圧する自動感知引き出し装置の構造と特徴を詳述するために具体的な実施例を挙げ、図示を参照にして以下に説明する。
【実施例】
【００２２】
この考案は自動感知引き出し装置であって、該自動感知引き出し装置に設ける製品には、トイレットペーパー、ナプキン、アルミホイル、食品包装用ラップフィルム、或いはビニルフィルム等ロール状の製品を幅広く含む。
【００２３】
しかしながら、この考案の詳細な構造をわかりやすくするために、最もよく利用されるトイレットペーパーを設けた実施形態を例にして説明する。
【００２４】
図１から図４は、この考案の自動感知引き出し装置１を示したものである。
【００２５】
該自動感知引き出し装置１は、ハウジング１０と、コントロール部２０と、引き出し手段とを含んでなる。
【００２６】
該ハウジング１０は、固定桿１１と、駆動手段と、フック部１６などを含んでなる。該固定桿１１は、ハウジングの表面の中央に上方へ垂直に延伸して設けられる。該固定桿１１は、上端に位置決め蓋１２が設けられ、該位置決め蓋１２を取り外して、ロール状のトイレットペーパー１００を該固定桿１１に挿設する。
【００２７】
該駆動手段は、ハウジングの内部に設けられる。該駆動手段は、モーター１３と、変速の歯車セット１４と、該ハウジング１０の適宜な位置に電池を設けて、該駆動手段が作動するために必要な電圧源である動力を供するＤＣ電源部１５とを含んでなる。
【００２８】
また、該フック部１６は、ハウジング１０は外周面の適宜な位置から外側に延伸して方形を呈して設けられる。よって、自動感知引き出し装置１は、ハウジング１０の底面を直接、卓上面に置くだけでなく、該フック部１６を利用して壁面に固定接続、或いは取り外しができるように掛けて設けることができる。
【００２９】
該コントローラー部２０は、ハウジング１０の比較的鋭角な端縁部に設けられる。該コントローラー部２０は、適宜な深さを具えたフレーム座２１と、該フレーム座２１に蓋をするように形成され、且つ開口端を具えたフレーム蓋２２と、該フレーム座２１と、該フレーム蓋２２の端縁部に囲まれて形成される空間内に設けられるコントローラーコード板２３と、を含んでなる。
【００３０】
該フレーム座２１は、予め設定された位置に方形の孔２１１と、細長いガイド孔２１２と、フレーム座２１の上方に形成された斜度を具えた面である感知エリア２１３とを具えてなる。
【００３１】
該フレーム蓋２２は、中央に垂直方向に設けられた設置孔２２１と、該設置孔２２１の一側面に上下に分けて形成された二つの孔２２２と、を具えてなる。
【００３２】
該コントローラーコード板２３は、フレーム座２１に対向する側面の端縁部に設けられた使用者の有無を感知するセンサー２３１と、フレーム座２１に対向する側面に設けられた段数調整ボタン２３２と、フレーム蓋２２に対向する側面に設けられたゼロ回復センサー２３３と、を具えてなる。
【００３３】
該センサー２３１は、フレーム座２１の上端に斜度を具えた面に形成された感知エリア２１３を介して使用者の有無を感知する。
【００３４】
該コントローラーコード板２３の側面に設けられた段数調整ボタン２３２は、フレーム座２１に形成された方形の孔２１１にちょうど収まるように設けられ、位置決めされるとともに、段数調整ボタン２３２の突出した部分がフレーム座２１から外側に突出する。
【００３５】
また、フレーム蓋２２に対向するように設けられたゼロ回復センサー２３３は、フレーム蓋２２の端縁部の一側面に上下に形成された二つの孔２２２に穿設、位置決めされ、異なる規格のペーパーを前進、或いは後退させて長さをゼロに戻すために供し、自動感知引き出し装置に設けたトイレットペーパーを予めペーパーに設けられた切り取り線で切断し、使用者がペーパーを切断するのに便利なようにする。
【００３６】
ペーパーの切断をスムーズで、平にきれいに実施するため、コントロール部２０はトイレットペーパー１００の取り出し口に対向する位置に図４、図５に開示するようなカッター部２４を増設してもよい。該カッター部２４はカッターからなる。
【００３７】
引き出し手段は、センサー２３１の信号を受信し、トイレットペーパー１００を自動的に引き出して送り出すために供する。
【００３８】
該引き出し手段は、ロール軸３１と、圧力板３３と、を含んでなる。回転する筒状のロール軸３１は、ハウジング１０の表面から垂直方向に延伸して設けられ、コントローラー部２０のフレーム蓋２２に対向するように設けられる。
【００３９】
また、ロール軸３１の底端は、歯車セット１４とモーター１３とが互いに噛合しているため、駆動手段が作動すると、ロール軸３１も回転する。回転するロール軸３１が手指を傷つけるなどの事故が発生することを防ぐため、ロール軸３１は、外周面の一部にカバー３２を設けて事故が発生しないようにすることができる。
【００４０】
該圧力板３３は、フレーム蓋２２に形成された設置孔２２１と同様の形状に形成した片体であって、上端にフレーム座２１の方向へ延伸して形成された平台と、該平台の表面に凸設された支軸３３１とを具えてなり、底端には上端と同様、フレーム座２１の方向に延伸して形成された桿体３３２を具えてなる。
【００４１】
設置孔２２１に挿設される圧力板３３は、上端に形成された平台の支軸３３１と、フレーム座２１の上端とが回動自在に接続し、底端の桿体３３２がガイド孔２１２を貫通する。
【００４２】
また、該圧力板３３とフレーム座２１との間に圧縮バネのような弾性体３４が設けられて接続するため、常態的に圧力板３３の一端がフレーム蓋２２より内側に凸出し、図４に開示するように、ロール軸３１を圧力板３３が僅かに押圧する。
【００４３】
この考案の自動感知引き出し装置は、固定桿１１と、引き出し手段と、ハウジング１０とが上方へ垂直に形成されているため、自動感知引き出し装置１の体積を大幅に縮小することができる。
【００４４】
また、引き出し装置と、ハウジング１０とが垂直に設けられているため、トイレットペーパー１００が側面から外側に引き出される。
【００４５】
底面が平らなハウジング１０は卓上に設けることができるため、ナプキン、食品包装用ラップフィルム、アルミホイル、或いはビニルフィルムなどに使用することができるとともに、ハウジング１０の外周面に設けられたフック部１６により壁面に掛けて使用することもできる。
【００４６】
この考案は図４、図５に開示するように、固定桿１１にトイレットペーパー１００を挿設し、巻かれたロール状のトイレットペーパー１００の端を引き出し手段の方向に回転し、ガイド孔２１２を貫通して外側に露出した桿体３３２を逆方向に回すと、弾性体３４が圧力板３３に押圧されて内側に圧縮して移動する（図５参照）。
【００４７】
よって、ロール軸３１と圧力板３３との間隔が広くなり、トイレットペーパー１００の端を外部に引き出しやすくなる。一方、桿体３３２を緩めると、弾性体３４の弾力で圧力板３３がロール軸３１の方向に押圧されて、トイレットペーパー１００がロール軸３１に密接に接触するため、トイレットペーパー１００を回転させやすくなる。
【００４８】
トイレットペーパー１００は、引き出す過程でロール軸３１と、圧力板３３を通して双方向から挟持される。また、圧力板３３本体は、弾性体３４を介して弾性力の特性を緩衝することができる。
【００４９】
よって、回転するロール軸３１に合せてトイレットペーパー１００の一側面を押圧、位置決めしてガイドする効果を供する以外に、従来のように双方向から圧力を加えて強制的に回転させてペーパーが固くなったり、絡まるなどの状況が発生することを防ぎ、トイレットペーパー１００を従来の紙の柔らかさを保ち続けたまま確実に送り出すことができる。
【００５０】
この考案のコントローラーコード板２３は、センサー２３１を介して使用者の有無を感知してペーパーを自動的に引き出す目的を達成する。
【００５１】
また、段数調整ボタン２３２を利用して内部に設けられたトイレットペーパー１００の切り取り線の長さ（通常、切り取り線の間隔は１６〜１８ｃｍ及び２６〜２８ｃｍの二種類の段数を使用している）に基づき正確に適宜な長さのペーパーを外部に引き出して供することができるほか、コントローラーコード板２３上に設けられたゼロ回復センサー２３３でペーパーを前進、或いは後退させて外部に引き出したペーパーの長さをゼロに戻すことができる。
【００５２】
図７に開示するように、使用者がペーパーを切断する場合、ペーパーの端縁部がゼロ回復センサー２３３の位置に達していない場合、ゼロ回復センサー２３３は、ペーパーがセンサーの位置に達していないことを感知してコントローラーコード板２３へ信号を送信し、駆動手段を作動させる。
【００５３】
該駆動手段が作動すると、引き出し手段のロール軸も動かされて回転し、短すぎたトイレットペーパーの端縁部がゼロ回復センサー２３３に予め設けられた感知位置（図８参照）に達するまでロール軸を回転してトイレットペーパーを引き出すため、毎回引き出して切断し、使用するトイレットペーパーがいずれも正確に予め設定された長さを維持するようにすることができる。
【００５４】
また、図９に開示するように、使用者がトイレットペーパー１００を切断して使用する場合、トイレットペーパー１００の端縁部が予め設定された位置を越えている時、ゼロ回復センサー２３３が感知した信号をコントローラーコード板２３に送信して引き出し手段を逆方向に回転するように駆動させる。
【００５５】
よって、長すぎた部分のペーパーが自動的に巻き戻されて、ゼロ回復センサー２３３に予め設けられた感知位置（図１０参照）に達する。よって、上述と同様に毎回引き出して切断し、使用するトイレットペーパーの長さを予め設定された長さに正確に維持することができる。
【００５６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５７】
【図１】この考案の自動感知引き出し装置を示した分解図である。
【図２】図１に開示する自動感知引き出し装置を示した説明図である。
【図３】この考案の自動感知引き出し装置にトイレットペーパーを設けた状態を示した説明図である。
【図４】図３に開示する自動感知引き出し装置を下からみた状態を示した説明図である。
【図５】この考案の自動感知引き出し装置に設けたトイレットペーパーの端縁部が引き出し手段に挿入された状態を示した説明図である。
【図６】この考案の自動感知引き出し装置に別の電源部の実施形態を示した説明図である。
【図７】この考案の自動感知引き出し装置に設けられたトイレットペーパーの端縁部が予め設定された位置に達していない状態を示した説明図である。
【図８】図７に開示した自動感知引き出し装置に設けられたトイレットペーパーの端縁部が引き出されて予め設定されたゼロ回復センサーの位置に達した状態を示した説明図である。
【図９】この考案の自動感知引き出し装置に設けられたトイレットペーパーの端縁部が予め設定された位置を越えた状態を示した説明図である。
【図１０】図９に開示した自動感知引き出し装置に設けられたトイレットペーパーの端縁部が巻き戻されて予め設定されたゼロ回復センサーの位置に達した状態を示した説明図である。
【符号の説明】
【００５８】
１     自動感知引き出し装置
１０     ハウジング
１１     固定桿
１２     位置決め蓋
１３     モーター
１４     歯車セット
１５     ＤＣ電源部
１５ａ   ＡＣ電源部
１６     フック部
２０     コントローラー部
２１     フレーム座
２１１     孔
２１２     ガイド孔
２１３     感知エリア
２２     フレーム蓋
２２１     設置孔
２２２     孔
２３     コントローラーコード板
２３１     センサー
２３２     段数調整ボタン
２３３     ゼロ回復センサー
２４     カッター部
３１     ロール軸
３２     カバー
３３     圧力板
３３１     支軸
３３２     桿体
３４     弾性体
１００     トイレットペーパー
【図１】
0003140258.tif 000003
【図２】
0003140258.tif 000004
【図３】
0003140258.tif 000005
【図４】
0003140258.tif 000006
【図５】
0003140258.tif 000007
【図６】
0003140258.tif 000008
【図７】
0003140258.tif 000009
【図８】
0003140258.tif 000010
【図９】
0003140258.tif 000011
【図１０】
0003140258.tif 000012